(57)【要約】      （修正有）【課題】人々の健康を助けるために、水等の液体を飲むことを思い出させる液体摂取管理システムを提供する。【解決手段】液体摂取管理システムは、液体容器と、データベースと、前記データベースにアクセスし、前記液体容器を制御し、液体摂取管理を行うように、無線技術で前記液体容器と前記データベースと通信するネット媒介と、を備えてなる。【選択図】図１
2014203453.tif 000002
【特許請求の範囲】
【請求項１】
液体容器と、
データベースと、
前記データベースにアクセスし、前記液体容器を制御し、液体摂取管理を行うように、無線技術で前記液体容器と前記データベースと通信するネット媒介と、を備えてなることを特徴とする液体摂取管理システム。
【請求項２】
前記ネット媒介は、手持ち装置であり、
前記手持ち装置は、無線通信モジュール及び入力インターフェイスを有し、前記データベースにアクセスし、前記液体容器を設定、管理又は制御し、前記液体摂取管理を行うように、前記無線通信モジュールで前記液体容器と前記データベースと通信し、
前記ネット媒介は、使用者に通知するように、前記使用者からの命令を受け取り、飲用時間及び飲用量を設定し、
前記ネット媒介は、前記入力インターフェイスを有し、前記命令は、前記入力インターフェイスによって入力し、
前記入力インターフェイスは、ソフトウェア、オペレーティングシステム、アプリケーション、実キー、仮想キー及びタッチインターフェイスからなる群から選択され、
前記データベースは、クラウドデータベースであり、
前記液体容器、前記ネット媒介及び記憶媒体のいずれか一つに配置されるものであることを特徴とする請求項1記載の液体摂取管理システム。
【請求項３】
前記液体容器は、個人用水飲み装置であり、
前記液体容器は、液体を収容し、LED灯を有し、
前記データベースは、前記液体及び使用者に関する情報を記憶し、更に前記使用者のアカウントを記憶し、前記情報は前記アカウントに関連付け、
前記LED灯からの信号は、前記情報に基づいて前記使用者に通知し、
前記情報は、摂取時間、摂取量、摂取レコード、摂取過程及び摂取統計図表を含み、
前記LED灯は、第一色LED灯及び第二色LED灯を含み、それぞれ第一メッセージ及び第二メッセージを表示することを特徴とする請求項1記載の液体摂取管理システム。
【請求項４】
前記液体容器は、LED灯を有し、前記LED灯は複数構成され、前記複数のLED灯の点滅に基づいて、飲用できる量を表示し、
前記ネット媒介は、管理諮問情報、環境データ、使用者の身体データ、通知時間及び感知情報からなる群から選択して受信し、それらに基づいて、飲用時間及び飲用量を計算し、使用者に通知し、
前記管理諮問情報は、医療情報、健康情報及びスポーツ専門情報からなる群から選択され、
前記環境データは、温度及び湿度からなる群から選択され、
前記使用者の身体データは、身長、体重、年齢、性別及び種族からなる群から選択され、
前記感知情報は、汚染指数及び栄養素含量指数からなる群から選択され、
前記汚染指数は、細菌数、重金属含量、浮遊微粒子濃度、水素イオン指数及び塩素含量からなる群から選択され、
前記栄養素含量指数は、糖含量、カロリー、脂質含量、たんぱく質含量及びビタミン含量及び微量元素含量からなる群から選択されることを特徴とする請求項1記載の液体摂取管理システム。
【請求項５】
液体を収容する容器本体と、
容器本体に設けられ、前記液体に関する感知情報を測定する感知モジュールと、
受信端に前記感知情報を提供するための無線通信モジュールと、を備えてなることを特徴とする液体容器。
【請求項６】
前記感知情報又は提示情報を表示するための発光ダイオードと、
前記感知情報又は外部信号に基づいて前記発光ダイオードを制御するためのマイクロ制御モジュールと、を更に備え、
前記マイクロ制御モジュールは、前記感知情報を受信し、前記感知情報に基づいて液体量計算及び液体摂取管理計算のいずれか一つを選択して行い、
前記感知モジュールは、液位感知モジュール、温度感知モジュール、ＸＹＺ三軸加速度感知器及びジャイロスコープからなる群から選択され、
前記受信端は、モバイル通信装置、ノートブック及びパソコンのいずれか一つが選択されることを特徴とする請求項5記載の液体容器。
【請求項７】
前記感知情報は、汚染指数及び栄養素含量指数からなる群から選択され、
前記汚染指数は、細菌数、重金属含量、浮遊微粒子濃度、水素イオン指数及び塩素含量からなる群から選択され、
前記栄養素含量指数は、糖含量、カロリー、脂質含量、たんぱく質含量、ビタミン含量及び微量元素含量からなる群から選択されることを特徴とする請求項5記載の液体容器。
【発明の詳細な説明】
【関連出願と優先権主張の相互参照】
【０００１】
本出願は、台湾知的財産局での２０１３年４月３日に出願された特許出願第１０２１１２１９８号に基づく利益を主張し、当該特許出願の開示は、参照によって本明細書に組み込まれる。
【技術分野】
【０００２】
本発明は、液体摂取管理システムに関する。
【背景技術】
【０００３】
良好な健康状態を維持するために、適量の水を飲用する必要がある。正常な成人は、毎日約２０００ｃ.ｃ.の水を飲む必要がある。しかし、統計データによれば、毎日一人の飲む平均量は約１２００ｃ.ｃ.であり、ほとんど半分の人は、毎日の飲む水量は５００ｃ.ｃ.未満（標準値に遥かに遠い）である。飲用水量は個人の体重、年齢、体調、気候環境、温度、湿度などのいろいろな要因に関する。個人の健康にとつて、水の飲用を適切に管理することは非常に重要であり、実際には容易ではない。コンピュータの前に長座するサラリーマン又は長い時間に勉強する学生は常に忙しいので、水の飲用を忘れやすくなる。一方、長い時間にエアコンを備る室内にいるため、人体にとつて、自然環境を感じる及び体内需要を調節する能力に影響を及ぼす。又、多くの患者は、水をたくさん飲む又は水分を厳密に制御する必要がある。体重を減らす人の体重管理及び運動員の運動生理は飲水制御に繋がる。水の飲用を適切に管理する装置が存在すれば、自動的に記録し、使用者に適量の水を飲むことを通知でき、人々の健康を助ける。
【０００４】
更に、特殊な体質を持つ人又は糖尿病などの特定の病気を有する患者は、炭水化物飲料の摂取量を厳密に制御しなければならない。一部の患者は、一日や特定の期間に、定量の流動食だけを食べること、あるいは液体薬剤だけを飲むことができる。したがって、液体摂取量を制御する装置を提出すれば、より大きな利便性をもたらすことができる。
【０００５】
したがって、本出願人は、このような従来の課題を解決するために、実験と研究を重ねた結果を通じて、液体摂取管理システムを開発して提案する。
【発明の概要】
【発明が解決しようとする課題】
【０００６】
本発明に係る液体摂取管理システムは、発光ダイオード（ＬＥＤ）の点滅により、使用者に水などの液体を飲むことを思い出させ、現在の飲用量と目標の飲用量との比を知らせることができる。本発明に係る液体摂取管理システムは、液体重量、液体含量、液位、液体の汚染指数、及び液体の栄養素含量指数等を檢知する感知モジュールを備え、ブルートゥース、近距離無線通信（ＮＦＣ）、ＺｉｇＢｅｅ（登録商標）、ＩＳＭ  ｓｕｂ−Ｇバンド、Ｗｉ−Ｆｉ又は赤外線通信等の無線通信技術によって通信し、リアルタイムで飲用記録を、個人移動通信装置、ハンドヘルドデバイスやパーソナルデジタル装置等のネット媒介にアクセスし更新できる。前記ネット媒介は、例えばスマートフォン、タブレットPC（Ｐａｄ）、ノートブック又はパーソナルコンピュータ（ＰＣ）等である。又、パーソナルデジタル装置は、アプリケーションにより、環境の温度と湿度及び医学的なアドバイスによる飲用量を収集して比較分析を行って、本発明に係る液体容器にあるＬＥＤによって、使用者に水などの液体を飲むこと又は一時的な飲用制限を思い出させる。
【課題を解決するための手段】
【０００７】
従来技術に鑑み、本発明は、液体摂取管理システムを提出する。前記液体摂取管理システムは、液体容器と、データベースと、前記データベースにアクセスし、前記液体容器を制御し、液体摂取管理を行うように、無線技術で前記液体容器と前記データベースと通信するネット媒介と、を備えてなることを特徴とする。
【０００８】
上記構造の本発明に係る液体摂取管理システムにおいて、前記ネット媒介は、手持ち装置であり、前記手持ち装置は、無線通信モジュール及び入力インターフェイスを有し、前記データベースにアクセスし、前記液体容器を設定、管理又は制御し、前記液体摂取管理を行うように、前記無線通信モジュールで前記液体容器と前記データベースと通信し、前記ネット媒介は、使用者に通知するように、前記使用者からの命令を受け取り、飲用時間及び飲用量を設定し、前記ネット媒介は、前記入力インターフェイスを有し、前記命令は、前記入力インターフェイスによって入力し、前記入力インターフェイスは、ソフトウェア、オペレーティングシステム、アプリケーション、実キー、仮想キー及びタッチインターフェイスからなる群から選択され、前記データベースは、クラウドデータベースであり、前記液体容器、前記ネット媒介及び記憶媒体のいずれか一つに配置されるものであることを特徴とする。
【０００９】
上記構造の本発明に係る液体摂取管理システムにおいて、前記液体容器は、個人用水飲み装置であり、前記液体容器は、液体を収容し、LED灯を有し、前記データベースは、前記液体及び使用者に関する情報を記憶し、更に前記使用者のアカウントを記憶し、前記情報は前記アカウントに関連付け、前記LED灯からの信号は、前記情報に基づいて前記使用者に通知し、前記情報は、摂取時間、摂取量、摂取レコード、摂取過程及び摂取統計図表を含み、前記LED灯は、第一色LED灯及び第二色LED灯を含み、それぞれ第一メッセージ及び第二メッセージを表示することを特徴とする。
【００１０】
上記構造の本発明に係る液体摂取管理システムにおいて、前記液体容器は、LED灯を有し、前記LED灯は複数構成され、前記複数のLED灯の点滅に基づいて、飲用できる量を表示し、前記ネット媒介は、管理諮問情報、環境データ、使用者の身体データ、通知時間及び感知情報からなる群から選択して受信し、それらに基づいて、飲用時間及び飲用量を計算し、使用者に通知し、前記管理諮問情報は、医療情報、健康情報及びスポーツ専門情報からなる群から選択され、前記環境データは、温度及び湿度からなる群から選択され、前記使用者の身体データは、身長、体重、年齢、性別及び種族からなる群から選択され、前記感知情報は、汚染指数及び栄養素含量指数からなる群から選択され、前記汚染指数は、細菌数、重金属含量、浮遊微粒子濃度、水素イオン指数及び塩素含量からなる群から選択され、前記栄養素含量指数は、糖含量、カロリー、脂質含量、たんぱく質含量及びビタミン含量及び微量元素含量からなる群から選択されることを特徴とする。
【００１１】
上述の目的を達成するために、液体容器を提供する。前記液体容器は、液体を収容する容器本体と、容器本体に設けられ、前記液体に関する感知情報を測定する感知モジュールと、受信端に前記感知情報を提供するための無線通信モジュールと、を備えてなることを特徴とする。
【００１２】
上記構造の本発明に係る液体容器において、前記感知情報又は提示情報を表示するための発光ダイオードと、前記感知情報又は外部信号に基づいて前記発光ダイオードを制御するためのマイクロ制御モジュールと、を更に備え、前記マイクロ制御モジュールは、前記感知情報を受信し、前記感知情報に基づいて液体量計算及び液体摂取管理計算のいずれか一つを選択して行い、前記感知モジュールは、液位感知モジュール、温度感知モジュール、ＸＹＺ三軸加速度感知器及びジャイロスコープからなる群から選択され、前記受信端は、モバイル通信装置、ノートブック及びパソコンのいずれか一つが選択されることを特徴とする。
【００１３】
上記構造の本発明に係る液体容器において、前記感知情報は、汚染指数及び栄養素含量指数からなる群から選択され、前記汚染指数は、細菌数、重金属含量、浮遊微粒子濃度、水素イオン指数及び塩素含量からなる群から選択され、前記栄養素含量指数は、糖含量、カロリー、脂質含量、たんぱく質含量、ビタミン含量及び微量元素含量からなる群から選択されることを特徴とする。
【発明の効果】
【００１４】
このような飲用量などのリアルタイムデータの詳細については、ネット媒介により、パーソナルクラウドアカウントに保存する。即ち、パーソナルクラウドアカウントは、毎日、毎週又は毎月における飲用過程を記録して、統計図表を使用者の飲用計画や医師の診断についての根拠として作成することができる。リアルタイムデータは、介護人、家族、スポーツコーチ、栄養管理士、肥満予防健康管理士、健康コンサルタント等の関係者を提供することができる。本発明に係る液体容器にあるＬＥＤ、ネット媒体、或いは手持ち装置における画面、ビデオ、テキストメッセージやＳＭＳの送信により、使用者に水等の液体を飲むことを思い出させる。これにより、即時の関心を使用者に感じるが、執拗さをあまり感じさせない。
【図面の簡単な説明】
【００１５】
【図１】本発明の実施形態による液体摂取管理システムを示すブロック図である。
【図２】本発明の実施形態による携帯機器のアプリケーションの入力インターフェイスを示す模式図である。
【図３】本発明の実施形態による液体容器を示す図である。
【発明を実施するための形態】
【００１６】
以下のように、本発明を実施例に基づいて詳述するが、あくまでも例示であって、本発明の範囲はこれらの実施形態に限定されない。本発明の範囲は、特許請求の範囲に記載されており、さらに特許請求の範囲の記載と均等な意味及び範囲内での全ての変更を含んでいる。
【００１７】
図１は、本発明の実施形態による液体摂取管理システム１０を示すブロック図である。液体摂取管理システム１０は、液体容器１０１及びネット媒介１０２を備えている。液体摂取管理システム１０は、必要に応じてデータベース１０３を更に備えていてもよい。
【００１８】
液体容器１０１は、水、飲料、液体、液体薬剤又は他の流体物質を収容するためのものである。
【００１９】
ネット媒介１０２は、データベース１０３にアクセスし、液体容器１０１を制御し、液体摂取管理を行うように、無線技術で液体容器１０１及びデータベース１０３のいずれかを通信する。前記無線技術は、ブルートゥース、近距離無線通信（ＮＦＣ）、ＺｉｇＢｅｅ（登録商標）、ＩＳＭ  ｓｕｂ−Ｇバンド、Ｗｉ−Ｆｉ又は赤外線通信等の無線通信技術である。
【００２０】
液体容器１０１は、個人用水飲み装置であればよく、例えば、保温ポット、水筒、フラスコ、キャンティーン、コップ等の液体を収容できる蓋付き容器や無蓋容器である。ネット媒介１０２は、個人移動通信装置、ハンドヘルドデバイスやパーソナルデジタル装置等であり、例えばスマートフォン（Ｓｍａｒｔ Ｐｈｏｎｅ）、タブレットPC（Ｐａｄ）、ノートブック（Ｎｏｔｅｂｏｏｋ）又はパーソナルコンピュータ（ＰＣ）等である。
【００２１】
ネット媒介１０２は、無線通信モジュール１０２１及び入力インターフェイス１０２２を含む。無線通信モジュール１０２１は、無線通信技術を提供することで液体容器１０１と通信するためのものである。入力インターフェイス１０２２は、ソフトウェア、オペレーティングシステム、アプリケーション、実キー、仮想キー及びタッチインターフェイスからなる群から選択されるものである。
【００２２】
アプリケーションを一例として、入力インターフェイス１０２２は、図２に示すような携帯機器のアプリケーション（Ａｐｐ）２０であればよい。アプリケーション２０は、使用者インターフェイス２１、一つ以上のボタン２０１及び一つ以上の入力フレーム２０２を有する。入力フレーム２０２は、好ましくは、入力機能を達成するためのものであり、例えば、通知時間、使用者の体重、予め目標、飲用量及び達成率等の情報を入力する。通知時間は、周期的や非周期的なことができるためのものであり、例えば数時間ごとに使用者に通知し、使用者に液体を飲むことを思い出させることができる。ボタン２０１は、ネット媒介１０２と液体容器１０１との間の接続を開始又は終了し、入力フレーム２０２を介して入力された情報を送信し、或いは身体データ（身長、体重、年齢、性別及び種族）を設定するために、ネットワークと接続し及び切り離す機能ができる。ボタン２０１は、追加情報を提供するために、使用者インターフェイス２１に示される画面を切り替えることができる。追加情報は、以前に記録されたデータ、飲用過程、飲用レコード、通知時間、使用者の体重、予め目標、飲用量及び達成率等を示す。
【００２３】
ネット媒介１０２又はアプリケーション２０は、リアルタイムでの環境データ（温度及び湿度である気象データ）及び使用者の身体データ（身長、体重、年齢）１０４を収集し、医学的なアドバイスによる飲用量と比較分析を行って、画面、ビデオ、テキストメッセージやＳＭＳの送信により、使用者に水を飲むこと及び一時的な飲水制限を思い出させる。ボタン２０１は、ネット媒介１０２のタイプと使用状態に応じて、実キー、仮想キー、タッチインターフェイス又はそれらの組み合わせであればよい。
【００２４】
更に、ネット媒介１０２は、管理諮問情報、環境データ、使用者の身体データ、又は通知時間を受信し、それらに基づいて、飲用時間及び飲用量を計算し、使用者１０５に通知する。前記管理諮問情報は、医療情報、健康情報又はスポーツ専門情報であり、前記環境データは、温度又は湿度であり、前記使用者の身体データは、身長、体重、年齢、性別又は種族等である。
【００２５】
ネット媒介１０２は、前記思い出させる機能を実行するためのものであり、発光ダイオード１０２３、オーディオ出力モジュール１０２４、振動モジュール１０２５又はそれらの組み合わせであればよい。発光ダイオード１０２３は、輝く、点滅又は明滅することで、使用者１０５に通知することができる。ネット媒介１０２は、携帯電話やカメラであれば、その補助光やフラッシュを介して使用者１０５に注意させる。
【００２６】
オーディオ出力モジュール１０２４は、ブザー（Ｂｕｚｚｅｒ）、スピーカー等を含んでもよく、ブザーやスピーカーからの声、音楽、鳴らす音によって使用者１０５に注意させる。オーディオ出力モジュール１０２４は、使用者１０５が親密感を感じるために、事前に記録された人間（親戚や友人）の音声を再生することができる。使用者１０５は子供であれば、オーディオ出力モジュール１０２４は、あらかじめ録音された親の音声を再生し、子供の制御を容易にする。振動モジュール１０２５は、異なる回数や周波数の振動モードによって使用者１０５に注意させる。本発明では、視覚、聴覚及び触覚等の最も直感的な方法により、使用者に飲用量を知らせるので、視覚障害者及び聴覚障害者に適用することができる。
【００２７】
液体容器１０１は、無線感知モジュール１０１１、マイクロ制御モジュール１０１２及び発光ダイオード１０１３を含む。無線感知モジュール１０１１は、容器本体１０１に設けられ、容器本体１０１に収容された液体に関する感知情報を測定し、前記感知情報を送信する。受信端としてのネット媒介１０２は、前記感知情報を受信して管理基準とする。
【００２８】
前記感知情報は、元の液量、存在する液量、消費された液体の量、液体温度、周囲温度、汚染指数又は栄養素含量指数を含む。前記汚染指数は、細菌数、重金属含量、浮遊微粒子濃度、水素イオン指数（pH値）及び塩素含量からなる群から選択され、前記栄養素含量指数は、糖含量、カロリー、脂質含量、たんぱく質含量、ビタミン（Ａ、Ｂ群、Ｃ、Ｄ、Ｅ、Ｋ等）含量及び微量元素（Ｆｅ、Ｚｎ、Ｃｕ、Ｍｎ等）含量からなる群から選択される。環境に急激な変化があれば（例えば液体源が汚染され、または不慣れな環境にある時）、飲用液体の質を監視できる。本発明により、現代にふさわしい食生活において、生理的な負担を与えないように、洗練された食事を取ると共に栄養摂取量を制御する。
【００２９】
無線感知モジュール１０１１は、感知サブモジュール１０１１１及び無線通信サブモジュール１０１１２を含む。感知サブモジュール１０１１１は、圧力や液位感知器（水位センサ、圧力センサ、ロードセル、流量計、浮標など）、温度感知器、ＸＹＺ三軸加速度感知器及びジャイロスコープからなる群から選択されてもよく、液体容器１０１に収容する液体の元の液量、存在する液量、消費された液体の量、液体温度、周囲温度、汚染指数又は栄養素含量指数を感知するためのものである。又、感知サブモジュール１０１１１は、液体容器１０１の傾斜を検出することで、液体容器を転覆させる状況を排除し、情報の正確性を向上させることができる。無線通信サブモジュール１０１１２は、ネット媒介１０２に前記感知情報を送信する。感知で得られたリアルタイムデータは、医師、介護人、家族、スポーツコーチ、栄養管理士、（肥満予防）健康管理士、健康コンサルタント等の関係者１０６を提供し、診断や相談の時の参照資料とする。
【００３０】
使用者１０５や関係者１０６は、アプリケーション２０の入力インターフェイス１０２２によって外部信号や使用者コマンドを入力し、液体容器１０１を設定、管理または制御する。例えば、使用者１０５の飲用時間、通知の時間、通知の時間間隔、飲用の液量を設定し、ひいては液体容器１０１の開口部の開閉も設定して制御する。好ましくは、液体容器１０１は、マイクロ制御モジュール１０１２、発光ダイオード１０１３、オーディオ出力モジュール１０１４及び振動モジュール１０１５を含む。マイクロ制御モジュール１０１２は、液体容器１０１を設定、管理または制御できる。具体的には、マイクロ制御モジュール１０１２により、発光ダイオード１０１３、オーディオ出力モジュール１０１４、振動モジュール１０１５、又はそれらの組み合わせを制御して使用者１０５に適切な飲用を通知し、液体容器１０１の開口部の開閉も設定して制御することで、使用者２０５が摂取できる液量及び注入できる液体を制御する。
【００３１】
例えば、使用者１０５は子供であれば、使用者１０５が歯磨きをした後、マイクロ制御モジュール１０１２により、甘い飲み物の飲用を禁止する。発光ダイオード１０１３は、輝く、点滅又は明滅することで、使用者１０５に通知することができる。オーディオ出力モジュール１０１４は、ブザー（Ｂｕｚｚｅｒ）、スピーカー等を含んでもよく、ブザーやスピーカーからの声、音楽、鳴らす音によって使用者１０５に注意させる。オーディオ出力モジュール１０１４は、使用者１０５が親密感を感じるために、事前に記録された人間（親戚や友人）の音声を再生することができる。使用者１０５は子供である場合、オーディオ出力モジュール１０１４は、あらかじめ録音された親の音声を再生し、子供の制御を容易にする。振動モジュール１０１５は、異なる回数や周波数の振動モードによって使用者１０５に注意させる。本発明では、視覚、聴覚及び触覚等の最も直感的な方法により、使用者に飲用量を知らせるので、一般使用者のほか、視覚障害者及び聴覚障害者にも適用することができる。マイクロ制御モジュール１０１２は、前記感知情報を受信し、前記感知情報に基づいて液量計算や液体摂取管理を実行することにより、発光ダイオード１０１３、オーディオ出力モジュール１０１４及び振動モジュール１０１５を制御し、使用者１０５に注意させる。
【００３２】
図３は、本発明の実施形態による液体容器３０１を示す図である。液体容器３０１は、液体容器１０１の一つの実施形態であり、発光ダイオード３０２、３０３、３０４から構成される灯光信号３０５、オーディオ出力モジュール３０８、振動モジュール（図示せず）及び底部３０９を含み、前記思い出させる機能を実行するように、飲用管理に関するメッセージを提示又は表示する。
【００３３】
アプリケーション２０またはマイクロ制御モジュール１０１２は、使用者１０５が液体容器３０１に収容する液体を飲む必要があることを検知する際に、発光ダイオード３０２は、輝く、点滅又は明滅することで、使用者１０５に今は飲用できる時間であると通知する。使用者１０５は特定液量を飲った後、発光ダイオード３０２の輝き、点滅又は明滅が停止する。又、使用者１０５は飲用していないと、使用者１０５に注意させるように、発光ダイオード３０２が更に輝く、点滅又は明滅する若しくはその輝度を増加させる。
【００３４】
複数の発光ダイオード３０３は、飲用された液量を表示でき、例えば、一つの発光ダイオード３０３は輝く又は暗くなると、特定液量（例えば１２０ｃ.ｃ.）を飲っていたことを示す。複数の発光ダイオード３０４は、現在の飲用量と目標の飲用量との比を知らせるように、所望の飲用量を表示でき、例えば、一つの発光ダイオード３０３は輝く又は暗くなると、特定液量（例えば１００ｃ.ｃ.）を飲用する必要がある。
【００３５】
好ましい配列方法は、複数の発光ダイオード３０４は直線に配列し、第一色（例えば青色）を選用する。小さいサイズの発光ダイオード３０３は、大きいサイズの発光ダイオード３０２に囲まれている。発光ダイオード３０３は、第二色（例えば白色）を選用することが好ましい。発光ダイオード３０２は、第三色（例えば赤色）を選用することが好ましい。複数の発光ダイオード３０４は、互いに異なる色であればよい。即ち、複数の発光ダイオード３０４は、異なる色の点滅や明滅の組み合わせで、液量表示機能を実行する。同様に、複数の発光ダイオード３０３は、異なる色の点滅や明滅の組み合わせで、液量表示機能を実行する。
【００３６】
オーディオ出力モジュール３０８は、内部や外部のブザー（Ｂｕｚｚｅｒ）又はスピーカー等であればよく、音声、音楽、鳴らす音、着信音等を発することによって使用者１０５に注意させる。液体容器３０１は、振動モジュールにより、異なる回数や周波数の振動モードによって使用者１０５に注意させる。
【００３７】
液体容器３０１を覆う材料は、透明や半透明のコーティング材料であればよく、液体容器３０１の構造を破壊させないように、所望の振動モジュール及び電子素子等を配置する。また、電子素子の配置に対応する処に、透明や半透明のコーティング材料を鏡面研磨することにより、電子素子の回路を隠す。こうして、液体容器３０１の外観では、発光ダイオード等の視覚的な表示機能を有する素子だけを見られるため、液体容器３０１の美しさを向上させる。更に、本実施態様では、液体容器３０１は、スイッチ３０６及び無線通信スイッチ３０７を含む。
【００３８】
スイッチ３０６は、液体容器３０１の電源を制御するためのものである。スイッチ３０６は、タッチ又はプッシュ方式で利用してもよい。スイッチ３０６は、電源が入ってるかどうかを示すように、発光ダイオードを含む。スイッチ３０６は、誤動作を避けるように、液体容器３０１の表面に対して凹める。無線通信スイッチ３０７は、無線通信機能をオンまたはオフにするためのものである。無線通信機能は、ブルートゥース、近距離無線通信（ＮＦＣ）、ＺｉｇＢｅｅ、ＩＳＭ  ｓｕｂ−Ｇバンド、Ｗｉ−Ｆｉ又は赤外線通信等の無線通信技術である。無線通信スイッチ３０７はオンにすると、リアルタイムで得られたデータをネット媒介１０２に送信し、アプリケーション２０によって最適な飲用タイミングと飲用量を算出し、発光ダイオード３０２、３０３、３０４の通知タイミングを制御する。一方、無線通信スイッチ３０７は、無線通信機能をオンまたはオフにすることを示すための表示灯を含む。また、振動モジュール１０１５、マイクロ制御モジュール１０１２又は無線感知モジュール１０１１は、底部３０９に配置することが好ましい。
【００３９】
データベース１０３は、好ましくは、クラウドデータベースである。ネット媒介１０２やアプリケーション２０で得られた飲用記録（例えば摂取時間、摂取量、摂取レコード、摂取過程及び摂取統計図表）等のデータは、即時又は其後にデータベース１０３に送信することができまる。データベース１０３は、好ましくは、前記データを保存するように、パーソナルクラウドアカウントに配置する。パーソナルクラウドアカウントは、使用者１０５に対応し、毎日、毎週又は毎月における飲用過程を記録して、統計図表を使用者の飲用計画や医師の診断についての根拠として作成することができる。
【００４０】
リアルタイムデータは、医師、介護人、家族、スポーツコーチ、栄養管理士、肥満予防健康管理士、健康コンサルタント等の関係者１０６を提供することが好ましい。関係者１０６は、使用者の状況を心配する時、アプリケーション２０によって照会でき、且つ複数の使用者のリアルタイムデータも監視できる。液体容器１０１のＬＥＤ、ネット媒介１０２又は手持ち装置での画面、ビデオ、テキストメッセージやＳＭＳの送信により、使用者に適切な飲用を通知し、即時の関心を使用者に感じる。更に、データベース１０３の一部や全部は、液体容器１０１、ネット媒介１０２又は記憶媒体に配置してもよい。
【００４１】
以上の説明によると、当業者であれば本発明の技術思想を逸脱しない範囲で、多様な変更及び修正が可能であることが分かる。従って、本発明の技術的な範囲は、明細書の詳細な説明に記載された内容に限らず、特許請求の範囲によって定めなければならない。
【符号の説明】
【００４２】
１０  液体摂取管理システム
２０  アプリケーション
２１  使用者インターフェイス
１０１、３０１  液体容器（容器本体）
１０２  ネット媒介
１０３  データベース
１０４  環境データ及び身体データ
１０５  使用者
１０６  関係者
２０１  ボタン
２０２  入力フレーム
３０５  灯光信号
３０６  スイッチ
３０７  無線通信スイッチ
３０９  底部
１０１１  無線感知モジュール
１０１２  マイクロ制御モジュール
１０２１  無線通信モジュール
１０２２  入力インターフェイス
３０２、３０３、３０４、１０１３、１０２３  発光ダイオード
３０８、１０１４、１０２４  オーディオ出力モジュール
１０１５、１０２５  振動モジュール
１０１１１  感知サブモジュール
１０１１２  無線通信サブモジュール
【図１】
2014203453.tif 000003
【図２】
2014203453.tif 000004
【図３】
2014203453.tif 000005